(57)【要約】【課題】  原稿の載置向きが不定となってしまう場合でも、画像の出力向きが揃った画像出力結果を得ることである。【解決手段】  ＭＦＰ１０４のスキャナ部２０１に載置される無線タグ付き原稿から画像を読み取る際に、リーダ／ライタ部で無線タグ付き原稿から読み取る画像データの一部と、無線タグに記憶されていタグ情報と、原稿状態とに基づいて、コア部２０６がプリンタ部２０８で出力する画像データの出力向きを調整制御する構成を特徴とする。【選択図】  図２
2006313970.tif 000002
【特許請求の範囲】
【請求項１】
読み取り手段により読み取られる画像データに基づいて画像を無線タグ付きの記録媒体に出力可能な画像形成装置であって、
前記画像データから所定の画像域情報を切り出す切出し手段と、
前記無線タグに対して所定の画像形成情報、前記切出し手段により切り出される所定の画像域情報の書き込み、または前記無線タグに記憶されている所定の画像形成情報、前記所定の画像域情報の読み込みを行う無線タグ処理手段と、
前記無線タグ付きの記録媒体の原稿読み込み時に、前記切出し手段により切り出される画像データと、前記無線タグ処理手段により前記無線タグから読み出されるタグ情報と、前記原稿状態とに基づいて、原稿向きを判別して給紙される記録媒体に対して出力する画像データの向きを調整する制御手段と、
を有することを特徴とする画像形成装置。
【請求項２】
前記制御手段は、前記切出し手段により切り出される画像データと、前記無線タグ処理手段により前記無線タグから読み出されるタグ情報と、前記原稿状態とに基づくパターンマッチングによる比較結果により原稿の向きを判別することを特徴とする請求項１記載の画像形成装置。
【請求項３】
前記無線タグ処理手段は、画像データの出力時に、前記制御手段により判別される原稿向き情報を前記無線タグ付きの記録媒体にタグ情報として書き込むことを特徴とする請求項１記載の画像形成装置。
【請求項４】
無線タグ付きの記録媒体と、通常の記録媒体とを選択する選択手段を有し、
前記制御手段は、前記選択手段により前記無線タグ付きの記録媒体が選択された場合に、前記切出し手段により切り出される画像データと、前記無線タグ処理手段により前記無線タグから読み出されるタグ情報と、前記原稿状態とに基づいて、原稿向きを判別して給紙される記録媒体に対して出力する画像データの向きを調整することを特徴とする請求項１記載の画像形成装置。
【請求項５】
前記切出し手段により切り出す画像サイズは、任意に設定可能とすることを特徴とする請求項１記載の画像形成装置。
【請求項６】
前記原稿状態とは、原稿サイズおよび原稿向きであることを特徴とする請求項１記載の画像形成装置。
【請求項７】
前記制御手段は、切り出される画像データの反転パターンと前記無線タグから読みされる画像データとのパターンマッチングが成立する場合に、読み込む画像データに回転処理を施して画像出力向きを調整することを特徴とする請求項１記載の画像形成装置。
【請求項８】
読み取り手段により読み取られる画像データに基づいて画像を無線タグ付きの記録媒体に出力可能な画像形成装置における画像形成方法であって、
前記画像データから所定の画像域情報を切り出す切出しステップと、
前記無線タグに対して所定の画像形成情報、前記切出しステップにより切り出される所定の画像域情報の書き込み、または前記無線タグに記憶されている所定の画像形成情報、前記所定の画像域情報の読み込みを行う無線タグ処理ステップと、
前記無線タグ付きの記録媒体の原稿読み込み時に、前記切出しステップにより切り出される画像データと、前記無線タグ処理ステップにより前記無線タグから読み出されるタグ情報と、前記原稿状態とに基づいて、原稿向きを判別して給紙される記録媒体に対して出力する画像データの向きを調整する制御ステップと、
を有することを特徴とする画像形成方法。
【請求項９】
前記制御ステップは、前記切出しステップにより切り出される画像データと、前記無線タグ処理ステップにより前記無線タグから読み出されるタグ情報と、前記原稿状態とに基づくパターンマッチングによる比較結果により原稿の向きを判別することを特徴とする請求項８記載の画像形成方法。
【請求項１０】
前記無線タグ処理ステップは、画像データの出力時に、前記制御ステップにより判別される原稿向き情報を前記無線タグ付きの記録媒体にタグ情報として書き込むことを特徴とする請求項８記載の画像形成方法。
【請求項１１】
無線タグ付きの記録媒体と、通常の記録媒体とを選択する選択ステップを有し、
前記制御ステップは、前記選択ステップにより前記無線タグ付きの記録媒体が選択された場合に、前記切出しステップにより切り出される画像データと、前記無線タグ処理手段により前記無線タグから読み出されるタグ情報と、前記原稿状態とに基づいて、原稿向きを判別して給紙される記録媒体に対して出力する画像データの向きを調整することを特徴とする請求項８記載の画像形成方法。
【請求項１２】
前記切出しステップにより切り出す画像サイズは、任意に設定可能とすることを特徴とする請求項８記載の画像形成方法。
【請求項１３】
前記原稿状態とは、原稿サイズおよび原稿向きであることを特徴とする請求項８記載の画像形成方法。
【請求項１４】
前記制御ステップは、切り出される画像データの反転パターンと前記無線タグから読みされる画像データとのパターンマッチングが成立する場合に、読み込む画像データに回転処理を施して画像出力向きを調整することを特徴とする請求項８記載の画像形成方法。
【請求項１５】
請求項８〜１４のいずれかに記載の画像形成方法を実行させるためのプログラムを格納したことを特徴とするコンピュータが読み取り可能な記憶媒体。
【請求項１６】
請求項８〜１４のいずれかに記載の画像形成方法をコンピュータに実行させることを特徴とするプログラム。
【発明の詳細な説明】
【技術分野】
【０００１】
本発明は、無線タグ付き記録媒体を給紙可能で、読み取られる画像データを回転処理して画像形成可能な画像形成装置、画像形成方法、コンピュータが読み取り可能なプログラムを格納した記憶媒体およびプログラムに関するものである。
【背景技術】
【０００２】
従来、複写機は、原稿自動送り装置や自動丁合装置や等のアクセサリを装着することによって作業の効率化を行うことができるように構成されている。
【０００３】
また、デジタル複写機においては、原稿画像をデジタル情報として記憶装置に記憶して、種々の画像処理（回転、拡大、縮小、イメージシフト、Ｎｉｎ１）を行ってレイアウト処理したりすることが容易に実現できように構成されている。
【０００４】
その際、所定の画像処理により画像を文字部と写真部に像域分離し、文字部の文字を抽出し、辞書データとでパターンマッチングすることにより画像方向を判定していた。
【０００５】
また、無線タグ付き用紙を給紙して画像を形成可能な画像形成装置であって、記録媒体には管理情報を記憶したメモリを内蔵する無線タグ ユニットが貼付され、画像形成装置は、記録媒体に貼付された無線タグ ユニットと無線通信を行い、管理情報を読み出すとともに、画像形成処理に伴い更新された管理情報を無線タグ ユニットのメモリに書き込む等の処理を行う特許文献１が既に公開されている。
【特許文献１】特開２００５−０３１１５３号公報
【発明の開示】
【発明が解決しようとする課題】
【０００６】
また、リーダ装置から原稿画像を読み取る場合に、全ての原稿が画一的な方向に向いているとは限らず、１枚ごとに、文字の方向や文字列の方向（縦書きや横書きなど）が違うような原稿や、１枚の原稿中に複数の文字列の方向が存在するような原稿も存在する。
【０００７】
このような原稿において、複数の文字方向や文字列方向を持った原稿画像を読み取る場合などで画像方向を判定する場合に、原稿向きの認識等による誤認識が発生してしまう事態があった。
【０００８】
そして、画像の向きが揃っていない場合にシート後処理を実行すると、綴じ込まれた画像の向きが一致しないものが発生し、丁合が不正となってしまう等の問題点があった。
【０００９】
また、Ｎｉｎ１などの縮小レイアウト時に全ての画像方向を合わせて出力する場合に、同一ページでありながら、画像の向きが反転してしまうページが混在してしまうような出力結果となってしまう等の問題点があった。
【００１０】
本発明は、上記の課題を解決するためになされたもので、本発明の目的は、無線タグ付き原稿から画像を読み取る際に、無線タグ付き原稿から読み取る画像データの一部と、無線タグに記憶されているタグ情報と、原稿上体とに基づいて、読み取られる画像データの出力向きを調整することにより、原稿の載置向きが不定となってしまう場合でも、画像の出力向きが揃った画像出力結果が得られたり、画像形成する際に、検知されている原稿状態等の原稿情報を無線タグに記憶しておくことが可能となる画像形成装置、画像形成方法、コンピュータが読み取り可能なプログラムを格納した記憶媒体およびプログラムを提供することである。
【課題を解決するための手段】
【００１１】
上記目的を達成する本発明の画像形成装置は以下に示す構成を備える。
【００１２】
読み取り手段により読み取られる画像データに基づいて画像を無線タグ付きの記録媒体に出力可能な画像形成装置であって、前記画像データから所定の画像域情報を切り出す切出し手段と、前記無線タグに対して所定の画像形成情報、前記切出し手段により切り出される所定の画像域情報の書き込み、または前記無線タグに記憶されている所定のタグ情報、前記所定の画像域情報の読み込みを行う無線タグ処理手段と、前記無線タグ付きの記録媒体の原稿読み込み時に、前記切出し手段により切り出される画像データと、前記無線タグ処理手段により前記無線タグから読み出されるタグ情報と、前記原稿状態とに基づいて、原稿向きを判別して給紙される記録媒体に対して出力する画像データの向きを調整する制御手段とを有することを特徴とする。
【００１３】
上記目的を達成する本発明の画像形成方法は以下に示す構成を備える。
【００１４】
読み取り手段により読み取られる画像データに基づいて画像を無線タグ付きの記録媒体に出力可能な画像形成装置における画像形成方法であって、前記画像データから所定の画像域情報を切り出す切出しステップと、前記無線タグに対して所定の画像形成情報、前記切出しステップにより切り出される所定の画像域情報の書き込み、または前記無線タグに記憶されている所定の画像形成情報、前記所定の画像域情報の読み込みを行う無線タグ処理ステップと、前記無線タグ付きの記録媒体の原稿読み込み時に、前記切出しステップにより切り出される画像データと、前記無線タグ処理ステップにより前記無線タグから読み出されるタグ情報と、前記原稿状態とに基づいて、原稿向きを判別して給紙される記録媒体に対して出力する画像データの向きを調整する制御ステップとを有することを特徴とする。
【発明の効果】
【００１５】
本発明によれば、原稿読取り方向に対して出力すべき画像が反転するような向きとなって載置される場合であっても、原稿の向きが一定方向に揃っている原稿の画像となるように、画像の向きが揃っている画像出力結果を得ることができる。
【００１６】
また、画像出力される記録媒体が無線タグ付きであれば、その原稿の向きを判別するための情報を画像出力時に同時に書き込むことができ、該画像出力された記録媒体を原稿元とする場合に、原稿読み込み時に、原稿向きを判別する情報をスキャナが自在に読み取ることができる。
【００１７】
さらに、原稿の向きが不定となるような複数枚の画像データを読み込んで１枚の画像出力するような場合に、全ての画像の向きが揃っている画像出力結果を得ることができる。
【発明を実施するための最良の形態】
【００１８】
次に本発明を実施するための最良の形態について図面を参照して説明する。
【００１９】
＜システム構成の説明＞
〔第１実施形態〕
以下、図面を参照して本発明の実施形態を説明する。
【００２０】
図１は、本発明に係る画像形成装置を適用可能な画像処理システムの一例を示す図である。本システムは、ネットワーク１０１に接続されたコンピュータ１０２はサーバ、コンピュータ１０３ａと１０３ｂはクライアントである。なお、図示されていないがクライアントはこれらのほかにも多数接続されている。以下クライアントを代表してコンピュータ１０３と表記する。
【００２１】
更に、ネットワーク１０１にはＭＦＰ（Ｍｕｌｔｉ  Ｆｕｎｃｔｉｏｎ  ｐｅｒｉｐｈｅｒａｌ：マルチファンクション周辺機器）１０４ａ、１０４ｂ，１０４ｃ，１０４ｄが接続されている。１０４ａ、１０４ｂ，１０４ｃ，１０４ｄはフルカラーでスキャン、プリントなどが可能なカラー４ドラムＭＦＰである。
【００２２】
１０５はネットワークに接続された１ドラムカラーレーザビームプリンタ（ＬＢＰ）である。
【００２３】
また、図示していないがネットワーク１０１上にはＭＦＰを初め、スキャナ、プリンタあるいは、ＦＡＸなどのその他の機器も接続されている。
【００２４】
ここでコンピュータ１０３上では、いわゆるＤＴＰ（Ｄｅｓｋ  Ｔｏｐ  Ｐｕｂｌｉｓｈｉｎｇ：デスクトップパブリッシング）を実行するアプリケーションソフトウェアを動作させ、各種文書／図形が作成／編集される。コンピュータ１０３は作成された文書／図形をＰＤＬ（Ｐａｇｅ  Ｄｅｓｃｒｉｐｔｉｏｎ  Ｌａｎｇｕａｇｅ：ページ記述言語）に変換し、ネットワーク１０１を介してＭＦＰ１０４、ＬＢＰ１０５に送られてプリントアウトされる。
【００２５】
ＭＦＰ１０４、ＬＢＰ１０５はそれぞれ、コンピュータ１０２、１０３とネットワーク１０１を介して情報交換できる通信手段を有しており、ＭＦＰ１０４、ＬＢＰ１０５の情報や状態をコンピュータ１０２、１０３側に逐次知らせる仕組みとなっている。
【００２６】
更に、コンピュータ１０２、１０３は、その情報を受けて動作するユーティリティソフトウェアを持っており、ＭＦＰ１０４、ＬＢＰ１０５はコンピュータ１０２、１０３により管理される。
【００２７】
〔ＭＦＰ１０４の構成〕
次に、図２を用いてＭＦＰ１０４の構成について説明する。
【００２８】
図２は、図１に示したＭＦＰ１０４の構成を説明するブロック図である。
【００２９】
図２に示すＭＦＰ１０４において、２０１は画像読み取りを行うスキャナ部である。２０２は画像データの画像処理行うＩＰ部である。
【００３０】
２０３はファクシミリなどに代表される電話回線を利用した画像の送受信を行うＦＡＸ部である。２０４はネットワークを利用して画像データや装置情報をやり取りするＮＩＣ（Ｎｅｔｗｏｒｋ  Ｉｎｔｅｒｆａｃｅ  Ｃａｒｄ）部である。
【００３１】
２０５は前記コンピュータ１０３から送られてきたページ記述言語（ＰＤＬ）を画像信号に展開するＰＤＬ部である。２０６はコア部で、ＭＦＰ１０４の使い方に応じて画像信号を一時保存したり、経路を決定したりする。
【００３２】
２０８はプリンタ部で、コア部２０６から出力された画像データを画像形成する。なお、プリンタ部２０８でプリントアウトされたシートはフィニッシャ部２０９へ送り込まれ、シートの仕分け処理やシートの仕上げ処理が行われる。
【００３３】
２１０はディスプレイ部で、画像データをプリントせずに画像データの内容を確認したり、プリントする前に画像の様子を確認する（プレビュー）ために用いられる。
【００３４】
〔スキャナ部２０１の構成〕
図３を用いてスキャナ部２０１の構成を説明する。
【００３５】
図３は、図２に示したスキャナ部２０１の構成を説明する断面図である。
【００３６】
図３において、３０１は原稿台ガラスであり、読み取られるべき原稿３０２が置かれる。原稿３０２は、照明ランプ３０３により照射され、その反射光はミラー３０４、３０５、３０６を経て、レンズ３０７によりＣＣＤ３０８上に結像される。
【００３７】
ミラー３０４、照明ランプ３０３を含む第１ミラーユニット３１０はミラー３０４は速度ｖで移動し、ミラー３０５、３０６を含む第２ミラーユニット３１１は速度１／２ｖで移動することにより、原稿３０２の全面を走査する。第１ミラーユニット３１０及び第２ミラーユニット３１１はモータ３０９により駆動される。
【００３８】
なお、スキャナ部２０１には、後述する図１３に示すように、無線タグ付きの原稿が載置された場合に、該無線タグから情報を読み出したり、情報を書き込んだりするリーダ／ライタ部が所定位置に配置されている。
【００３９】
また、スキャナ部２０１には、ＡＤＦやＲＤＦといった原稿給送ユニットを接続して、原稿を所定位置に給送、排紙することができるように構成されている。
【００４０】
〔画像処理部２０２の構成〕
図４を用いてＩＰ部（画像処理部）２０２について説明する。
【００４１】
図４は、図２に示したＩＰ部（画像処理部）２０２の構成を説明するブロック図である。
【００４２】
図４において、入力された光学的信号は、図３に示したＣＣＤセンサ３０８により電気信号に変換される。このＣＣＤセンサ３０８は、ＲＧＢ３ラインのカラーセンサであり、ＲＧＢそれぞれの画像信号としてＡ／Ｄコンバータ４０１で、各色信号毎に８ｂｉｔのデジタル画像信号ＲＯ，ＧＯ，ＢＯに変換される。その後、シェーディング補正部４０２で色ごとに、基準白色版の読み取り信号を用いた、シェーディング補正が施される。
【００４３】
更に、ＣＣＤセンサ３０８の各色ラインセンサは、相互に所定の距離を隔てて配置されているためラインディレイ調整回路（ライン補間部）４０３において、副走査方向の空間的ずれが補正される。
【００４４】
次に、入力マスキング部４０４はＣＣＤセンサ３０８のＲ，Ｇ，Ｂフィルタの分光特性で決まる読取色空間を、ＮＴＳＣの標準色空間に変換する部分であり、ＣＣＤセンサ３０８の感度特性／照明ランプのスペクトル特性等の諸特性を考慮した装置固有の定数を用いた３×３のマトリックス演算を行い、入力された（ＲＯ，ＧＯ，ＢＯ）信号を標準的な（Ｒ，Ｇ，Ｂ）信号に変換する。
【００４５】
更に、輝度／濃度変換部（ＬＯＧ変換部）４０５はルックアップテーブル（ＬＵＴ）ＲＡＭにより、構成され、ＲＧＢの輝度信号がＣ１，Ｍ１，Ｙ１の濃度信号になるように変換される。
【００４６】
４０６は出力マスキング／ＵＣＲ回路図であり、Ｃ１，Ｍ１，Ｙ１信号を画像形成装置のトナー色であるＣ，Ｍ，Ｙ，Ｋ信号に補正して出力する。
【００４７】
次に、ガンマ補正部（ガンマ変換部）４０７にて、トナーの色味諸特性を考慮したルックアップテーブル（ＬＵＴ）ＲＡＭを使って画像出力のためのＣ，Ｍ，Ｙ，Ｋデータに変換され、空間フィルタ４０８にて、エッジ強調または、スムージングが施された後、画像信号はコア部２０６へと送られる。
【００４８】
〔ＮＩＣ部２０４の構成〕
図５を用いてＮＩＣ部２０４について説明する。
【００４９】
図５は、図２に示したＮＩＣ部２０４、ＰＤＬ部２０５の構成を説明するブロック図である。
【００５０】
図５において、ネットワーク１０１に対してのインターフェイスの機能を持つのが、このＮＩＣ部２０４であり、例えば１０Ｂａｓａ−Ｔ／１００Ｂａｓｅ−ＴＸなどのＥｔｈｅｒｎｅｔ（登録商標）ケーブルなどを利用して外部からの情報を入手したり、外部へ情報を流す役割を果たす。
【００５１】
外部より情報を入手する場合は、まず、トランス部６０１で電圧変換され、ＬＡＮコントローラ部６０２に送られる。ＬＡＮコントローラ部６０２は、その内部に第１バッファメモリ（不図示）を持っており、その情報が必要な情報か否かを判断した上で、第２バッファメモリ（不図示）に送った後、ＰＤＬ部２０５に信号を流す。
【００５２】
次に、外部に情報を提供する場合には、ＰＤＬ部２０５より送られてきたデータは、ＬＡＮコントローラ部６０２で必要な情報を付加して、トランス部６０１を経由してネットワーク１０１に接続される。
【００５３】
〔ＰＤＬ部２０５の構成〕
次に、図５を用いてＰＤＬ部２０５の構成の説明する。
【００５４】
コンピュータ１０３上で動作するアプリケーションソフトウェアによって作成された画像データは、文書、図形、写真等から構成されており、それぞれは、文字コード、図形コード及び、ラスタ画像データなどによる画像記述の要素の組み合わせから成っている。
【００５５】
これが、いわゆるＰＤＬ（Ｐａｇｅ  Ｄｅｓｃｒｉｐｔｉｏｎ  Ｌａｎｇｕａｇｅ：ページ記述言語）であり、Ａｄｏｂｅ社のＰｏｓｔＳｃｒｉｐｔ（登録商品）言語に代表されるものである。
【００５６】
ＰＤＬ部２０５では、上記ＰＤＬデータからラスタ画像データへの変換処理を行う。
【００５７】
まず、ＮＩＣ部２０４から送られてきたＰＤＬデータは、ＣＰＵ部６０３を経由して一度ハードディスク（ＨＤＤ）のような大容量メモリ６０４に格納され、ここで各ジョブ毎に管理、保存される。次に、必要に応じて、ＣＰＵ部６０３は、ＲＩＰ（Ｒａｓｔｅｒ  Ｉｍａｇｅ  Ｐｒｏｃｅｓｓｉｎｇ）と呼ばれるラスタ化画像処理を行って、ＰＤＬデータをラスタイメージに展開する。展開されたラスタイメージデータは、ＣＭＹＫの色成分毎ＤＲＡＭなどの高速アクセス可能なメモリ６０５にジョブ毎にページ単位で格納され、プリンタ部２０８の状況に合わせて、再びＣＰＵ部６０３を介して、コア部２０６へ送られる。
【００５８】
リーダ部で読み取られＣＭＹＫデータに変換された画像信号を、プリンタ部へすぐに送ることができない場合、ここのメモリ６０４に一旦記憶されるよう、コア部２０６で制御される。
【００５９】
〔コア部２０６の構成〕
図６を用いてコア部２０６について説明する。
【００６０】
図６は、図２に示したコア部２０６の構成を説明するブロック図である。
【００６１】
図６において、コア部２０６のバスセレクタ部７０１は、ＭＦＰ１０４、ＬＢＰ１０５の利用における、いわば交通整理の役割を担っている。すなわち、複写機能、ネットワークスキャン、ネットワークプリンタ、ファクシミリ送信／受信、あるいは、ディスプレイ表示などＭＦＰ１０４、ＬＢＰ１０５における各種機能に応じてバスの切り替えを行うところである。
【００６２】
以下に各機能を実行するためのバスの切り替えのパターン（１）〜（６）を示す。
【００６３】
切り替えのパターン（１）は、複写機能で、スキャナ２０１→コア２０６→プリンタ２０８と切り替わる。切り替えのパターン（２）は、ネットワークスキャン機能であって、スキャナ２０１→コア２０６→ＮＩＣ部２０４と切り替わる。切り替えのパターン（３）は、ネットワークプリンタであって、ＮＩＣ部２０４→コア２０６→プリンタ２０８と切り替わる。
【００６４】
切り替えのパターン（４）は、ファクシミリ送信機能であって、スキャナ２０１→コア２０６→ＦＡＸ部２０３と切り替わる。
【００６５】
切り替えのパターン（５）は、ファクシミリ受信機能：ＦＡＸ部２０３→コア２０６→プリンタ２０８と切り替わる。切り替えのパターン（６）は、ディスプレイ表示機能であって、スキャナ２０１又はＦＡＸ部２０３又はＮＩＣ部２０４→コア２０６→ディスプレイ２１０と切り替わる。
【００６６】
次に、バスセレクタ部７０１を出た画像データは、圧縮部７０２、ハードディスク（ＨＤＤ）などの大容量メモリからなるメモリ部７０３及び、伸張部７０４を介してプリンタ部２０８（ＰＷＭ部２０７）又はディスプレイ部２１０へ送られる。圧縮部７０２で用いられる圧縮方式は、ＪＰＥＧ、ＪＢＩＧ，ＺＩＰなど一般的なものを用いればよい。なお、圧縮された画像データは、ジョブ毎に管理され、ファイル名、作成者、作成日時、ファイルサイズなどの付加データと一緒に格納される。
【００６７】
更に、ジョブの番号とパスワードを設けて、それらも一緒に格納すれば、パーソナルボックス機能をサポートすることができる。これは、データの一時保存や特定の人にしかプリントアウト（ＨＤＤからの読み出し）ができない様にするたの機能である。記憶されているジョブのプリントアウトの指示が行われた場合には、パスワードによる認証を行った後にメモリ部７０３より呼び出し、画像伸張を行ってラスタイメージに戻してプリンタ部２０７に送ることもできる。
【００６８】
〔ＰＷＭ部２０７の構成〕
図７、図８によりＰＷＭ部２０７の説明をする。
【００６９】
図７は、図２に示したＰＷＭ部２０７の構成を説明する図であり、図２と同一のものには同一の符号を付してある。図８は、図７に示したＰＷＭ部２０７の動作を説明するタイミングチャートである。
【００７０】
図７において、コア部２０６を出たイエロー（Ｙ）、マゼンダ（Ｍ）、シアン（Ｃ）、ブラック（Ｋ）の４色に色分解された多値画像データは、それぞれのＰＷＭ部２０７を通ってそれぞれ画像形成される。
【００７１】
８０１は三角波発生部で、所定周波数の三角波を発生して、コンパレータ８０３の反転端子に入力する。８０２は入力されるデジタル画像信号をアナログ信号に変換するＤ／Ａコンバータ（Ｄ／Ａ変換部）である。
【００７２】
三角波発生部８０１からの信号（図８に示す信号ａ）及びＤ／Ａコンバータ８０２からの信号（図８の信号ｂ）は、コンパレータ８０３で大小比較されて、図８の信号ｃとなってレーザ駆動部８０４に送られ、ＣＭＹＫそれぞれが、ＣＭＹＫそれぞれのレーザ発振器８０５でレーザビームに変換される。
【００７３】
そして、後述する図９に示すポリゴンスキャナ９１３で、それぞれのレーザビームを走査して、それぞれの後述する図９に示す感光ドラム９１７、９２１、９２５、９２９に照射される。
【００７４】
〔ＭＦＰ１０４のプリンタ部２０８の構成〕
図９は、図２に示したプリンタ部２０８の構成を説明する断面図であり、例えば４ドラムタイプカラープリンタ部の概要例である。
【００７５】
図９において、９１３はポリゴンミラーであり、４つの半導体レーザ発振器８０５より発光された４本のレーザ光を受ける。その内の１本はミラー９１４、９１５、９１６をへて感光ドラム９１７を走査し、次の１本はミラー９１８、９１９、９２０をへて感光ドラム９２１を走査し、次の１本は９２２、９２３、９２４をへて感光ドラム９２５を走査し、次の１本はミラー９２６、９２７、９２８をへて感光ドラム９２９を走査する。
【００７６】
一方、９３０はイエロー（Ｙ）のトナーを供給する現像器であり、レーザ光に従い、感光ドラム９１７上にイエローのトナー像を形成し、９３１はマゼンタ（Ｍ）のトナーを供給する現像器であり、レーザ光に従い、感光ドラム９２１上にマゼンタのトナー像を形成し、９３２はシアン（Ｃ）のトナーを供給する現像器であり、レーザ光に従い、感光ドラム９２５上にシアンのトナー像を形成し、９３３はブラック（Ｋ）のトナーを供給する現像器であり、レーザ光に従い、感光ドラム９２９上にブラックのトナー像を形成する。
【００７７】
以上４色（Ｙ，Ｍ，Ｃ，Ｋ）のトナー像がシートに転写され、フルカラーの出力画像を得ることができる。
【００７８】
シートカセット９３４、９３５および、手差しトレイ９３６のいずれかより供給されたシートは、レジストローラ９３７をへて、転写ベルト９３８上に吸着され、搬送される。
【００７９】
給紙のタイミングと同期がとられて、予め感光ドラム９１７、９２１、９２５、９２９には各色のトナーが現像されており、シートの搬送とともに、トナーがシートに転写される。
【００８０】
各色のトナーが転写されたシートは、分離され、搬送ベルト９３９により搬送され、定着器９４０によって、トナーがシートに定着される。定着器９４０を抜けたシートはフラッパ９５０によりいったん下方向へ導かれてシートの後端がフラッパ９５０を抜けた後、スイッチバックさせて排出する。これによりフェイスダウン状態で排出され、先頭頁から順にプリントしたときに正しい順となる。９９０は無線タグリーダライタで、画像印刷後の無線タグ付き給紙の無線タグに情報を書き込む。なお、詳細は、図１３において後述する。
【００８１】
なお、４つの感光ドラム９１７、９２１、９２５、９２９は、距離ｄをおいて、等間隔に配置されており、搬送ベルト９３９により、シートは一定速度ｖで搬送されており、このタイミング同期がなされて、４つの半導体レーザ８０５は駆動される。
【００８２】
なお、無線タグリーダライタ９９０は、画像形成された無線タグ付きシートが定着器９４０から排紙される際に、コア部２０６の制御で、検知している原稿状態、画像データ中の一部のデータであって、圧縮されたデータ等が書き込まれる。
【００８３】
そして、このようにして画像出力された無線タグ付きシートは、スキャナ部２０１に載置された場合に、リーダライタ部１３００により図１３に示す無線タグ１３００１〜１３００９のいずれかから読み出されると、コア部２０６は、スキャナ部２０１が読み出す画像データから所定の画像域情報を切り出し、メモリに記憶させる。
【００８４】
そして、リーダライタ部１３００は、無線タグに対して所定の画像形成情報、前記切出し手段により切り出される所定の画像域情報の書き込み、または前記無線タグに記憶されている所定の画像形成情報、前記所定の画像域情報の読み込みを行う。また、無線タグ付きの記録媒体の原稿読み込み時に、ＩＰ部２０２により切り出される画像データと、無線タグ１３００１〜１３００９から読み出されるタグ情報と、原稿状態とに基づいて、コア部２０６が原稿向きを判別して給紙される記録媒体に対して出力する画像データの向きを調整する。
【００８５】
また、コア部２０６は、ＩＰ部２０２により切り出される画像データと、リーダライタ部１３００により前記無線タグから読み出されるタグ情報と、前記原稿状態とに基づくパターンマッチングによる比較結果により原稿の向きを判別する。
【００８６】
さらに、リーダライタ部９９０は、画像データの出力時に、コア部２０６により判別される原稿向き情報を無線タグ付きの記録媒体にタグ情報として書き込む。
【００８７】
さらに、操作部として機能するディスプレイ部２１０により無線タグ付きの記録媒体が選択された場合に、ＩＰ部２０２により切り出される画像データと、リーダライタ部１３００により前記無線タグから読み出されるタグ情報と、前記原稿状態とに基づいて、原稿向きを判別して給紙される記録媒体に対して出力する画像データの向きを調整する。
【００８８】
また、ＩＰ部２０２により切り出す画像サイズは、任意に設定可能とする。さらに、前記原稿状態とは、原稿サイズおよび原稿向きである。
【００８９】
コア部２０５は、切り出される画像データの反転パターンと無線タグから読みされる画像データとのパターンマッチングが成立する場合に、読み込む画像データに回転処理を施して画像出力向きを、後述する図１７に示すステップ（１４）〜（１８）等により調整する。
【００９０】
〔ディスプレイ部２１０の構成〕
図１０に、ディスプレイ部２１０を示す。
【００９１】
図１０は、図２に示したディスプレイ部２１０の構成を説明するブロック図である。
【００９２】
図１０において、コア部２０６より出力された画像信号は、ＣＭＹＫデータであるため、逆ＬＯＧ変換部１００１でＲＧＢデータに変換する必要がある。次に、出力されるＣＲＴなどのディスプレイ装置１００４の色の特性に合わせるためにガンマ変換部１００２でルックアップテーブルを使用して出力変換を行う。変換された画像データは、一度メモリ部１００３に格納されて、ＣＲＴなどのディスプレイ装置１００４によって表示させる。
【００９３】
ここで、ディスプレイ部２１０を使用するのは、出力画像を予め確認するプレビュー機能や出力する画像が意図したものと間違いないか検証するプルーフ機能、あるいは、プリントの必要がないかを確認するな場合にプリントシートの無駄を省く為である。
【００９４】
〔フィニッシャ部２０９の構成〕
図１１は、図９に示したプリンタ部２０８に接続可能なフィニッシャ部の構成を説明する断面図である。
【００９５】
図１１において、プリンタ部２０８の定着部９４０を出たシートは、フィニッシャ部２０９に入る。フィニッシャ部２０９には、サンプルトレイ１１０１とスタックトレイ１１０２ががあり、ジョブの種類や排出されるシートの枚数に応じて切り替えて排出される。
【００９６】
ソート方式には２通りあり、複数のビンを有して各ビンに振り分けるビンソート方式と、後述の電子ソート機能とビン（または、トレイ）を奥／手前方向にシフトしてジョブ毎に出力シートを振り分けるシフトソート方式によりソーティングを行うことができる。電子ソート機能は、コレートと呼ばれ、前述のコア部で説明した大容量メモリを持っていれば、このバッファメモリを利用して、バッファリングしたページ順と排出順を変更する、いわゆるコレート機能を用いることで電子ソーティングの機能もサポートできる。
【００９７】
次に、グループ機能は、ソーティングがジョブ毎に振り分けるのに対し、ページ毎に仕分けする機能である。
【００９８】
更に、スタックトレイ１１０２に排出する場合には、シートが排出される前のシートをジョブ毎に蓄えておき、排出する直前にステープラ１１０５にてバインドすることも可能である。このほか、上記２つのトレイに至るまでに、紙をＺ字状に折るためのＺ折り器１１０４、ファイル用の２つの（または３つ）の穴開けを行うパンチャ１１０６があり、ジョブの種類に応じてそれぞれの処理を行う。
【００９９】
更に、サドルステッチャ１１０７は、シートの中央部分を２ヶ所バインドした後に、シートの中央部分をローラにかませることによりシートを半折にし、週刊誌やパンフレットのようなブックレットを作成する処理を行う。
【０１００】
サドルステッチャ１１０７で作成されたシートは、ブックレットトレイ１１０８に排出される。
【０１０１】
そのほか、図には記載されていないが、製本のためのグルー（糊付け）によるバインドや、あるいは、バインド後にバインド側と反対側の端面を  揃えるためのカッティングなどを加えることも可能である。
【０１０２】
また、インサータ１１０３はトレイ１１１０にセットされたシートをプリンタを通さずにトレイ１１０１、１１０２、１１０８のいずれかに送るためのものである。これによってフィニッシャ２０９に送り込まれるシートとシートの間にインサータ１１０３にセットされたシートをインサート（中差し）することができる。インサータ１１０３のトレイ１１１０にはユーザによりフェイスアップの状態でセットされるものとし、ピックアップローラ１１１１により最上部のシートから順に給送する。
【０１０３】
従って、インサータ１１０３からのシートはそのままトレイ１１０１、１１０２へ排出することによりフェイスダウン状態で排出される。サドルステッチャ１１０７へ送るときには、一度パンチャ１１０６側へ送り込んだ後スイッチバックさせて送り込むことによりフェースの向きを合わせる。
【０１０４】
〔ネットワークユーティリティソフトウェアの説明〕
コンピュータ１０２、１０３上にて動作するユーユーティリティソフトウェアについて説明する。ＭＦＰ１０４、ＬＢＰ１０５内のネットワークインターフェース部分（ＮＩＰ部２０４＋ＰＤＬ部２０５）にはＭＩＢ（Ｍａｎａｇｅｍｅｎｔ  Ｉｎｆｏｒｍａｔｉｏｎ  Ｂａｓｅ）と呼ばれる標準化されたデータベースが構築されており、ＳＮＭＰ（Ｓｉｍｐｌｅ  Ｎｅｔｗｏｒｋ  Ｍａｎａｇｅｍｅｎｔ  Ｐｒｏｔｏｃｏｌ）というネットワーク管理プロトコルを介してネットワーク上のコンピュータと通信し、ＭＦＰ１０４、ＭＦＰ１０５をはじめとして、ネットワーク上につながれたスキャナ、プリンタあるいは、ＦＡＸなどの管理が可能になっている。
【０１０５】
一方、コンピュータ１０２、１０３上ではユーティリティと呼ばれるソフトウェアプログラムが動作しており、ネットワークを介して上記ＳＮＭＰの利用によりＭＩＢを使って必要な情報交換が可能となる。
【０１０６】
例えば、ＭＦＰ１０４、ＬＢＰ１０５の装備情報をとしてフィニッシャ２０９が接続されているか否かを探知したり、ステータス情報をして現在プリントが出きるか否かを探知したり、あるいは、ＭＦＰ１０４、ＬＢＰ１０５の名前や設置場所などを記入したり変更したり確認したりといった具合に、ＭＩＢを使うことによりユーザはネットワークに接続されたＭＦＰ１０４、ＬＢＰ１０５の情報をコンピュータ１０２、１０３上で確認することができる。また、これらの情報はサーバ１０２とクライアント１０３を区別してリードライトに制限を持たせることも可能である。
【０１０７】
従って、この機能を使うことにより、ＭＦＰ１０４、ＬＢＰ１０５の装備情報、装置の状態、ネットワークの設定、ジョブの経緯、使用状況の管理、制御などあらゆる情報をユーザはコンピュータ１０３、１０２の前で入手することが可能となる。
【０１０８】
〔ＬＢＰ１０５の構成〕
次に、図１２を用いてＬＢＰ１０５の構成について説明する。
【０１０９】
図１２は、図１に示したＬＢＰ１０５の構成を説明する概略断面図であり、１ドラムタイプカラープリンタ部の例である。
【０１１０】
なお、ＬＢＰ１０５は、ネットワークを利用して画像データや装置情報をやり取りするＮＩＣ（Ｎｅｔｗｏｒｋ  Ｉｎｔｅｒｆａｃｅ  Ｃａｒｄ：ネットワークインターフェイスカード）部分２０４、コンピュータ１０３から送られてきたページ記述言語（ＰＤＬ）を画像信号に展開するＰＤＬ部２０５を有する。
【０１１１】
なお、ＮＩＣ部、ＰＤＬ部、ＰＷＭ部の構成はＭＦＰ１０４と同様である。
【０１１２】
図１２において、９１３はポリゴンミラーであり、半導体レーザより発光された１本のレーザ光を受け、ミラー９１４をへて感光ドラム９１７を走査して、感光体上に潜像を形成する。感光体上の潜像は反時計回りに回転しながら、色現像器９６１や黒現像器９６０に到達する。
【０１１３】
９６１，９６０の現像器は感光体上に潜像として帯電された電荷に応じてトナーをのせる（現像させる）働きをする。画像が白黒の時は、現像器９６０のみが使用され、カラーの時は、現像器９６１，９６０の両方が使用される。
【０１１４】
次に、感光体９１７に生成された画像は、時計回りに回転している中間転写体９６２に転写される。この中間転写体は、白黒の場合は１回転、カラーの場合は４回転して画像生成を中間転写体上に完了する。
【０１１５】
色現像器９６１は回転することでイエロー現像器９６１ｙ、マゼンタ現像器９６１ｍ、シアン現像器９６１ｃのいずれかを感光ドラム９１７に接するように制御される。
【０１１６】
まず、イエロートナーを現像，転写するときは色現像器が図１０に示す位置にまるまで回転し、感光ドラム９１７にレーザ露光が行われると同期してドラムが時計方向へ回転し、イエロー現像器９６１ｙによってドラム上にイエローのトナー画像が形成される。
【０１１７】
これと同期して転写ドラム９６２が半時計回りへ回転し、感光ドラムからイエロートナーが転写される。転写ドラムの周囲の長さはＡ３サイズ画像が長手方向に形成できるものである。Ａ３サイズの画像形成を行う場合は、Ａ３サイズの原稿を読み取って、その画像信号によって、Ａ３サイズ画像１面分のイエロートナー画像が転写ドラム上に形成される。
【０１１８】
次に、マゼンタトナーを現像・転写するときは色現像器が半時計方向へ１２０度回転した後、前記と同様に原稿を読み取って、その画像信号によって、ドラム９１７にレーザ露光が行われると同期してドラムが時計方向へ回転し、マゼンタの現像器９６１Ｍによってドラム上にマゼンタのトナー画像が形成される。これと同期して転写ドラムが半時計回りへ回転し、感光ドラムからマゼンタトナーが転写される。
【０１１９】
次に同様にシアントナー画像が転写される。次にブラックトナー画像が現像器９６０によって感光ドラム９１７に形成され、同様に転写される。
【０１２０】
一方で、上段カセット９７０、あるいは下段カセット９７１からピックアップローラ９７２あるいはピックアップローラ９７３で給紙された記録紙が、給紙ローラ９７４あるいは給紙ローラ９７５に従って搬送され、搬送ローラ９７６で更にレジ前まで搬送されていく。
【０１２１】
そして、前述した中間転写体９１７への画像形成が終了するタイミングで中間転写体との転写ベルト９７８の間にくるようなタイミングに制御されている。ここに記録紙が到達したところで、転写ベルトが中間転写体に接して、トナーが記録紙に転写される。記録紙に転写された画像は、定着ローラ９７９で、熱と加圧により記録紙に定着される。
【０１２２】
画像が定着された記録紙は、プリンタコントローラによりあらかじめ指定されていたフェイスアップ排紙口９８０かフェイスダウン排紙口９８１のいずれかに搬送され、排紙される。以上で、プリンタコントローラから送られてきた画像情報を出力することができる。
【０１２３】
〔無線タグの説明〕
本発明で使用している無線タグは記録紙に貼り付けることのできる充分微小な形状であるものである。記録紙に貼り付けられた無線タグとリーダライタの配置を図１３に示す。
【０１２４】
図１３は、図２に示したリーダ部２０１に配置される無線タグリーダライタ９９０と無線タグ付きシートとの対応を説明する図である。
【０１２５】
図１３において、１３０１０は無線タグ付きシートで、所定位置に３×３のマトリクス状に記録媒体貼り付け可能な微小形状の無線タグ１３００１〜１３００９が配置されている例である。
【０１２６】
１３００はリーダライタ部で、無線タグのリーダライタ部１０１１〜１０１７が無線タグ近傍を通過するように配置されている。
【０１２７】
そして、操作者がシート１３０１０をＭＦＰ１０４ａの画像読み取り部（スキャナ部２０１）の原稿台に載せ、読み取り動作を行う。
【０１２８】
ＭＦＰ１０４ａの読み取り部には、図１３に示すように無線タグのリーダライタ１３００が設置されている。図示しない原稿台ガラス上に原稿を載せ、原稿台ガラス下をリーダライタ１３００が配置されており、図示するように原稿面を走査して、複数のリーダライタ部１０１１〜１０１７によって無線タグ１３００１〜１３００９のデータを読み取る。また、給紙に無線タグ付き用紙が選択されているときは画像書込み後、定着器９４０の後段にある無線タグリーダライタ９９０（図９参照）により無線タグ１３００１〜１３００９に情報が書き込まれる。
【０１２９】
また、給紙に無線タグ付き用紙が選択されているときは画像書込み後、定着器９４０の後段にある無線タグリーダライタ９９０により無線タグに情報が書き込まれる。
【０１３０】
図１４は、図１３に示した無線タグ１３００１〜１３００９とリーダライタ１３００との通信制御回路の一例を示すブロック図である。
【０１３１】
図１４において、１２０１は無線タグ内のアンテナであり、リーダライタ側と信号の送受信を行う。
【０１３２】
無線タグ１３００１〜１３００９がリーダライタ１３００からデータを受信する場合は、リーダライタ１３００から変調された信号がアンテナ１２１０、アンテナ１２０１を介して無線タグ１３００１〜１３００９側へ送信される。無線タグ１３００１〜１３００９のアンテナ１２０１に生じた起電力は整流回路１２０２で整流されレギュレータ１２０３によって無線タグ内の電源が生成されると同時に変調復調回路１２０４で復調され記憶素子１２０５へ復調されたデータが書き込まれる。
【０１３３】
無線タグ１３００１〜１３００９がデータを送信する場合は、リーダライタ部１０１１〜１０１７から発生されたキャリアに記憶素子１２０５から読み出したデータによって変調した信号を乗せて送信する。
【０１３４】
１２１２は変調復調回路で、アンテナ１２１０、変調・キャリア発生回路１２１１を介して受信される信号を復調する。１２１３はＣＰＵで、変調復調回路１２１２で復調されるデータを処理する。
【０１３５】
なお、無線タグ１３００１〜１３００９とリーダライタ１０１１〜１０１７とのアンテナ１２０１，１２１０との距離が充分に近いときに両者の通信が可能になる。また一度に一対の素子同士のみが通信できるものとしている。
【０１３６】
この例では、図１３で示すリーダライタ１３００の搬送方向に対して垂直な方向に７つのアンテナが配置されており、リーダライタの搬送に伴って通信を行うものである。
【０１３７】
図１５は、図１３に示した無線タグ１３００１〜１３００９の貼り付けられた記録シートと無線タグと通信するための単一リーダライタとの配置を示す図であり、リーダライタ１１１１を１個として、用紙搬送方向と垂直方向に走査する構成のものである。なお、リーダライタ１１１１は、図示しないキャリアに配置されて、該キャリアを主・副走査方向に走査することで、記録シート１３０１０の無線タグ１３００１〜１３００９と無線通信することで、記憶素子に記憶されている情報を読み出したり、書き込みしたりすることが可能に構成されている。
【０１３８】
なお、無線タグのリーダライタ１０１１〜１０１７は無線タグ近傍を通過するように配置されている。
【０１３９】
次に、ＭＦＰ１０４を用いて、ある原稿をコピーする場合について説明する。
【０１４０】
１）ＰＣ１０３からの画像データをＭＦＰ１０４がプリンタとして出力の場合における無線タグ１３００１〜１３００９へのデータ書き込み処理
ＰＣ１０３で、プリンタドライバを介して、印刷時に給紙に無線タグ付き用紙を選択した場合、ＭＦＰ１０４でプリントデータを受け取ると、画像を印字出力する際に紙面上をラスタスキャンし、最初に画像データが現れる位置データと、例えばその場所から３２×３２画素の画像データを、印字後にプリンタ出力部にある無線タグライタ９９０のＣＰＵにより画像処理される圧縮データを無線タグ１３００１〜１３００９のいずれかに書き込む。
【０１４１】
また、ＰＣ１０３側のプリンタデータから取得している画像方向、用紙サイズを受け取り、同様に無線タグ１３００１〜１３００９に書き込む。
【０１４２】
２）スキャナ部２０１からデータ読み込みコピー画像を出力する場合
給紙に無線タグ付き用紙を選択した場合、操作部にスキャナ部２０１に置く原稿方向を図示し指定することで、一意に原稿向きを決定しても良いし、従来方法のように画像中の文字部を検出して、画像処理部による辞書データとパターンマッチングすることにより画像方向を決定する手段を用いて画像向きを決定しても良い。
【０１４３】
上記１）と同様にスキャナ部２０１から読み取られる画像に対応するプリントデータを受け取り、画像を印字出力する際に紙面上をラスタスキャンし、最初に画像データが現れる位置データと、例えばその場所から３２×３２画素の画像データを、印字後にプリンタ出力部にある無線タグライタ９９０が備えるＣＰＵが画像処理した圧縮データを無線タグ１３００１〜１３００９のいずれかに書き込む。
【０１４４】
また、ＰＣ側のプリンタデータから画像方向、用紙サイズを受け取り、同様に無線タグ１３００１〜１３００９のいずれかに書き込む。
【０１４５】
ここで、紙面上をラスタスキャンしたとき、最初に画像データとは、画像を左上からラスタスキャンしたとき最初にドットのことを意味する。
【０１４６】
例えば図１６に示すような画像の場合、一番左上の四角形がそれに当たる。
【０１４７】
図１６は、本発明に係る画像形成装置における画像データと画像情報書き込み処理を説明する模式図であり、（ａ）は画像で、（ｂ）は抽出される先頭画像である。
【０１４８】
図１６において、実際に無線タグ１３００１〜１３００９のいずれかに記憶されるデータは、画像サイズ及び向き（Ａ４縦）、位置（Ｙライン−Ｘ画素）と図１６の（ｂ）に示す画像データである。無線タグ１３００１〜１３００９内に記憶する画像データの大きさは任意に変更できるが、本実施形態の例では３２×３２画素とする。なお、画素サイズは、これに限定されるものではない。
【０１４９】
スキャナ部２０１から読み込まれた無線タグ付き用紙の原稿向き判定方法を、図１７に示すフローチャートに従い説明する。
【０１５０】
図１７は、本発明に係る画像形成装置におけるデータ処理手順の一例を示すフローチャートであり、スキャナ部２０１から読み込まれた無線タグ付き用紙の原稿向き判定処理手順に対応する。なお、（１１）〜（２０）、（１４−１）〜（１４−７）は各ステップを示し、各ステップは図２に示したコア部２０６が図示しないメモリから制御プログラムをワークメモリに読み出して実行することにより実現される。
【０１５１】
先ず、ステップ（１１）で、リーダ（スキャナ部２０１）から原稿画像の読み込みと同時に、無線タグリーダ（リーダスキャナ部）１３００で原稿の無線タグ情報の読み込みを行い、原稿に無線タグがあるかないかを判別し、無線タグがあるとコア部２０６が判断した場合は、ステップ（１２）以降へ進み、無線タグがないと判断した場合、ステップ（２０）へ進み通常コピー処理を行い、印刷処理を終了する。
【０１５２】
一方、ステップ（１２）で、スキャナ部２０１にリーダスキャナ部１３００が載置される原稿上の無線タグの情報を読み取り、コア部２０６が備えるメモリに格納し、ステップ（１３）へ進む。
【０１５３】
そして、ステップ（１３）では、ステップ（１２）で読み取った無線タグ内の情報が、原稿向き検知に関する情報であるか否かを判断して、原稿向き検知に関する情報であると判断した場合は、ステップ（１４）へ進み、原稿向き検知に関する情報でないと判断した場合、ステップ（２０）へ進み通常コピー処理を行い、印刷を終了する。
【０１５４】
図１８は、本発明に係る画像形成装置におけるスキャナ部２０１による画像読み取り処理動作を説明する模式図であり、（Ａ），（Ｃ）は原稿の向きがＲである場合であり、（Ａ）は画像と原稿の向きが一致する場合であり、（Ｃ）は画像の向きと原稿の向きが、原稿の載置向きに対して例えば原稿画像が９０度右回転した状態に対応する。
【０１５５】
また、図１８の（Ｂ），（Ｄ）は原稿の向きが通常方向である場合に対応し、（Ｂ）は画像と原稿の向きが原稿の載置向きに対して例えば原稿画像が９０度右回転した状態に対応する場合であり、（Ｃ）は画像の向きと原稿の向きが、原稿の載置向き一致する状態に対応する。
【０１５６】
一方、ステップ（１４）では、ステップ（１２）で読み取った無線タグデータの情報で、画像の向きが縦かどうかを判断し（１４−１）、画像の向きが縦向きであると判断した場合は、原稿向きがＲ方向かを判断して（１４−３）、原稿向きがＲ方向であると判断した場合は、ステップ（１２）で読み取った無線タグデータ情報のサイズ向きが例えば、Ａ４縦であり、原稿台に置かれた原稿の方向が、図１８の（Ａ）のようにＡ４Ｒ方向である場合であり、この場合は、図１８の（Ａ）のように先頭からＸ画素、上からＹラインの画像Ａと、下からＹライン、後ろからＸ画素の画像Ｂの２つの画像を読み取る処理Ａを行う（１４−４）。なお、２つの画像Ａ，Ｂを読み取るのは、原稿台に原稿を上下逆さまに置かれても対応できるようにするためである。
【０１５７】
一方、ステップ（１４−３）で、Ｒ方向でないと判定した場合は、無線タグデータ情報のサイズ向きがＡ４縦であり、原稿台に置かれた原稿の方向が図１７ののようにＡ４方向である場合、図１８の（Ｂ）の２つの位置の画像を読み取る処理Ｂを行う（１４−５）。
【０１５８】
一方、ステップ（１４−１）で、画像向きが横向きであると判断した場合は、原稿向きはＲ方向かどうかを判断して（１４−２）、原稿向きがＲ方向であると判断した場合は、無線タグデータ情報のサイズ向きがＡ４横で、原稿台に置かれた原稿の方向が図１８の（Ｃ）のようにＡ４Ｒ方向である場合、図１８の（Ｃ）のに示す２つ画像を読み取る処理Ｃを行う（１４−６）。
【０１５９】
一方、ステップ（１４−２）で、Ｒ方向でないと判断した場合、原稿台に置かれた原稿の方向が図１８の（Ｄ）のようにＡ４方向である場合、図１８の（Ｄ）のに示す２つ画像を読み取る処理Ｄを行う（１４−７）。
【０１６０】
なお、読み取る画像サイズは無線タグの画像サイズよりも大きくすべきである。これは原稿台に置いた原稿がずれる可能性やフィーダに送られる原稿が僅かに傾く可能性があるからである。
【０１６１】
また、処理Ａ〜Ｄで共通な処理として、パターンマッチングがあり、無線タグ情報の画像データと、画像Ａと画像Ｂを１８０°回転した画像とをパターンマッチングする（画像Ａとマッチングした場合、画像方向はそのままで正しく、画像Ｂとマッチングしたときは画像を１８０°回転する必要がある）。
【０１６２】
これにより、プリントアウト後の画像が出力ビンにどの向きで出力されるか検知し、ステップ（１５）へ進む。
【０１６３】
通常、スキャナ部２０１の原稿台に原稿が置かれコピーが実行された場合、図１９および図２０のようにプリントアウトされた用紙向きはリーダにセットされた原稿向きと同じ向きでプリンタ出力部にプリントアウトされる。
【０１６４】
図１９、図２０は、本発明に係る画像形成装置における画像出力状態を説明する模式図である。
【０１６５】
次に、ステップ（１５）では、検知した画像向きと予め定めている出力ビンの方向が一致しているかどうか比較し、一致していると判断した場合、ステップ（１７）へ進み一致していない場合、ステップ（１６）へ進む。
【０１６６】
そして、ステップ（１６）では、図２１のようにプリントアウト後の画像方向が、予め定められている出力ビンの画像方向と一致するように画像を回転しステップ（１７）進む。
【０１６７】
そして、ステップ（１７）では、コピー時に給紙に無線タグ付き用紙が選択されているかどうかを判断して、無線タグ付き用紙が選択されていると判断した場合、ステップ（１８）へ進み，無線タグ付き用紙が選択されていないと判断した場合、ステップ（１９）へ進み、無線タグライタでデータの書き込みを行わず、印刷を終了する。
【０１６８】
一方、ステップ（１７）で、コピー時に給紙に無線タグ付き用紙が選択されていると判断した場合は、ステップ（１８）で、印字後に無線タグライタ９９０によりステップ（１２）で読み込んだデータと同じデータを無線タグに書き込み印刷を終了する。
【０１６９】
以上により、ステープル時及び、Ｎｉｎ１などの縮小レイアウト時に全ての画像方向を合わせて出力することが出来る。
【０１７０】
上記実施形態によれば、予め無線タグに入れられている画像と、コピーして得られた画像でパターンマッチングを行うため、判定ミスなく原稿方向を検知することが出来る。また、通常のコピーフロー中で画像比較を行うため無線タグを読み取ることの出来るＭＦＰ１０４では、ハード的な変更なく機能を追加することが出来る。
【０１７１】
また、原稿の載置向きが不定となってしまう場合でも、画像の出力向きが揃った画像出力結果を得られたり、画像形成する際に、検知されている原稿状態等の原稿情報を無線タグに記憶しておくことが可能となる。
【０１７２】
〔第２実施形態〕
上記第１実施形態では、原稿画像を１枚読み取る場合の画像出力例について説明したが、コンピュータ１０３ａと１０３ｂからのプリントデータに基づいて、画像データを無線タグ付き用紙に印刷する場合に、上記ステップ（１８）を実行することで、その印刷された無線タグ付き用紙をスキャナ部２０１に載置して、コピー処理を行う場合にも、同様に本発明を適用可能である。
【０１７３】
〔第３実施形態〕
上記第１実施形態では、原稿画像を１枚読み取る場合の画像出力例について説明したが、複数枚の原稿を読み取り、１枚の画像出力とするような、いわゆるＮｉｎ１（縮小レイアウト）コピー処理や、Ｎｉｎ１プリント処理する場合にも本発明を適用することで、画像の向きが揃ったＮｉｎ１コピー処理結果や、Ｎｉｎ１プリント処理結果を得ることができる。
【０１７４】
これにより、原稿の載置向きが不定となってしまう場合でも、画像の出力向きが揃ったＮｉｎ１プリントあるいはＮｉｎ１コピーされた画像出力結果が得られたり、画像形成する際に、検知されている原稿状態等の原稿情報を無線タグに記憶しておくことが可能となる。
【０１７５】
〔第４実施形態〕
以下、図２２に示すメモリマップを参照して本発明に係る画像形成装置で読み取り可能なデータ処理プログラムの構成について説明する。
【０１７６】
図２２は、本発明に係る画像形成装置で読み取り可能な各種データ処理プログラムを格納する記憶媒体のメモリマップを説明する図である。
【０１７７】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１７８】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１７９】
本実施形態における図１７に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１８０】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１８１】
この場合、記憶媒体から読み出されたプログラムコード自体が本発明の新規な機能を実現することになり、そのプログラムコードを記憶した記憶媒体は本発明を構成することになる。
【０１８２】
従って、プログラムの機能を有していれば、オブジェクトコード、インタプリタにより実行されるプログラム、ＯＳに供給するスクリプトデータ等、プログラムの形態を問わない。
【０１８３】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１８４】
この場合、記憶媒体から読出されたプログラムコード自体が前述した実施形態の機能を実現することになり、そのプログラムコードを記憶した記憶媒体は本発明を構成することになる。
【０１８５】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１８６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１８７】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理のまたは全部を行い、その処理によって前述した実施形態の機能が実現される場合も含まれることは言うまでもない。
【０１８８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理のまたは全部を行い、その処理によって前述した実施形態の機能が実現される場合も含まれることは言うまでもない。
【０１８９】
本発明は上記実施形態に限定されるものではなく、本発明の趣旨に基づき種々の変形（各実施形態の有機的な組合せを含む）が可能であり、それらを本発明の範囲から排除するものではない。
【０１９０】
本発明の様々な例と実施形態を示して説明したが、当業者であれば、本発明の趣旨と範囲は、本明細書内の特定の説明に限定されるのではなく、以下の実施態様も含まれることはいうまでもない。
【図面の簡単な説明】
【０１９１】
【図１】本発明に係る画像形成装置を適用可能な画像処理システムの一例を示す図である。
【図２】図１に示したＭＦＰの構成を説明するブロック図である。
【図３】図２に示したスキャナ部の構成を説明する断面図である。
【図４】図２に示したＩＰ部（画像処理部）の構成を説明するブロック図である。
【図５】図２に示したＮＩＣ部、ＰＤＬ部の構成を説明するブロック図である。
【図６】図２に示したコア部の構成を説明するブロック図である。
【図７】図２に示したＰＷＭ部の構成を説明する図である。
【図８】図７に示したＰＷＭ部の動作を説明するタイミングチャートである。
【図９】図２に示したプリンタ部の構成を説明する断面図である。
【図１０】図２に示したディスプレイ部の構成を説明するブロック図である。
【図１１】図９に示したプリンタ部に接続可能なフィニッシャ部の構成を説明する断面図である。
【図１２】図１に示したＬＢＰの構成を説明する概略断面図である。
【図１３】図２に示したリーダ部に配置される無線タグリーダライタと無線タグ付きシートとの対応を説明する図である。
【図１４】図１３に示した無線タグとリーダライタとの通信制御回路の一例を示すブロック図である。
【図１５】図１３に示した無線タグの貼り付けられた記録シートと無線タグと通信するための単一リーダライタとの配置を示す図である。
【図１６】本発明に係る画像形成装置における画像データと画像情報書き込み処理を説明する模式図である。
【図１７】本発明に係る画像形成装置におけるデータ処理手順の一例を示すフローチャートである。
【図１８】本発明に係る画像形成装置におけるスキャナ部２０１による画像読み取り処理動作を説明する模式図である。
【図１９】本発明に係る画像形成装置における画像出力状態を説明する模式図である。
【図２０】本発明に係る画像形成装置における画像出力状態を説明する模式図である。図である。
【図２１】本発明に係る画像形成装置における画像出力状態を説明する模式図である。図である。
【図２２】本発明に係る画像形成装置で読み取り可能な各種データ処理プログラムを格納する記憶媒体のメモリマップを説明する図である。
【符号の説明】
【０１９２】
２０１  スキャナ部
２０６  コア部
２０８  プリンタ部
【図１】
2006313970.tif 000003
【図２】
2006313970.tif 000004
【図３】
2006313970.tif 000005
【図４】
2006313970.tif 000006
【図５】
2006313970.tif 000007
【図６】
2006313970.tif 000008
【図７】
2006313970.tif 000009
【図８】
2006313970.tif 000010
【図９】
2006313970.tif 000011
【図１０】
2006313970.tif 000012
【図１１】
2006313970.tif 000013
【図１２】
2006313970.tif 000014
【図１３】
2006313970.tif 000015
【図１４】
2006313970.tif 000016
【図１５】
2006313970.tif 000017
【図１６】
2006313970.tif 000018
【図１７】
2006313970.tif 000019
【図１８】
2006313970.tif 000020
【図１９】
2006313970.tif 000021
【図２０】
2006313970.tif 000022
【図２１】
2006313970.tif 000023
【図２２】
2006313970.tif 000024